(57)【要約】【課題】簡単な手段により、トッププレートと調理器本体の側面からも加熱状態を同時に認識できるようにした加熱調理器を提供することを目的とする。【解決手段】加熱源を内蔵した調理器本体２と、この調理器本体２上に装備され調理容器を載置するトッププレート１と、複数の発光素子１８とこれと対向設置した導光体１６とを有して加熱状態を表示する表示装置４とを備え、表示装置４の導光体１６は、略Ｌ字形状に形成するとともにそのコーナー部をトッププレート１の表示部１ａと対向する傾斜面１９とし、かつ入光部１６ａと反対の発光部側１６ｂを連結させて調理器本体２の側面の表示部２ｃに臨ませて配置したものである。これによって、発光素子１８からの光は、一体化された１つの導光体１６を通してトッププレート１の表示部１ａと調理器本体２の側面の表示部２ｃに同時に導かれて加熱状態を表示することができるものである。【選択図】図３
2007194100.tif 000002
【特許請求の範囲】
【請求項１】
加熱源を内蔵した調理器本体と、この調理器本体上に装備され調理容器を載置するトッププレートと、複数の発光素子とこれと対向設置した導光体とを有して加熱状態を表示する表示装置とを備え、表示装置の導光体は、略Ｌ字形状に形成するとともにそのコーナー部をトッププレートの表示部と対向する傾斜面とし、かつ入光部と反対の発光部側を連結させて調理器本体の側面の表示部に臨ませて配置した加熱調理器。
【請求項２】
導光体の入光部を球面または円柱面とした請求項１に記載の加熱調理器。
【請求項３】
導光体の入光部から傾斜面の間に連続した垂直部を構成した請求項１または２に記載の加熱調理器。
【請求項４】
複数の発光素子の発光色を複数に分割した請求項１〜３のいずれか１項に記載の加熱調理器。
【請求項５】
導光体の傾斜面を加工反射面とした請求項１〜４のいずれか１項に記載の加熱調理器。
【請求項６】
導光体の発光部側端面を加工反射面とした請求項１〜５のいずれか１項に記載の加熱調理器。
【発明の詳細な説明】
【技術分野】
【０００１】
本発明は、トッププレート上に置かれた鍋などの調理容器を加熱し調理する加熱調理器に関するものである。
【背景技術】
【０００２】
従来、この種の加熱調理器において、加熱表示するには、加熱部の手前のトッププレート下方から光を透過させ表示するものが一般的である（例えば、特許文献１参照）。
【０００３】
また、発光素子から出る光の向きと表示部の方向が異なる場合の構成としては、導光体を用いて表示させるものが知られている（例えば、特許文献２参照）。
【特許文献１】特開２００３−１９７３５７号公報
【特許文献２】特開平１１−２４６０８号公報
【発明の開示】
【発明が解決しようとする課題】
【０００４】
しかしながら、前記従来のトッププレートの光透過による表示構成では、表示が上方向の一方向にしかないため、使用者の目線によっては加熱調理器の火力状態などを操作位置から認識することが困難である場合がある。そのため、操作をしながら加熱部に近寄るような形で表示をのぞきこむ必要があった。特に、誘導加熱調理器においては、調理容器を直接発熱させているため、ガスコンロのように炎が見えたり、シーズヒータのようにヒータが赤熱したりすることがないため、横から加熱状態を把握することが困難な場合がある。
【０００５】
また、トッププレート上に表示部がある場合は、調理容器の大きさにより、表示部が覆い隠されてしまい、加熱調理器の加熱状態を把握することが困難なことがある。
【０００６】
そこで、表示部をトッププレート以外に加熱調理器の前面などにも設けると、加熱状態を把握することが容易となるが、それぞれの表示部は全く異なる制御基板と異なる表示装置部品で構成されているため、コスト的にも高価なものとなってしまうという課題があった。
【０００７】
一方、従来の導光体を用いて表示させる構成では、光の向きと表示部の方向が異なる場合に有効であるが、表示が一方向にしかないため、前記従来の構成と同様、加熱状態を把握することが困難であったり、コスト的に高価なものとなったりしまうという課題があった。
【０００８】
本発明は、前記従来の課題を解決するもので、簡単な手段により、トッププレートと調理器本体の側面からも加熱状態を同時に認識できるようにした加熱調理器を提供することを目的とする。
【課題を解決するための手段】
【０００９】
前記従来の課題を解決するために、本発明の加熱調理器は、加熱源を内蔵した調理器本体と、この調理器本体上に装備され調理容器を載置するトッププレートと、複数の発光素子とこれと対向設置した導光体とを有して加熱状態を表示する表示装置とを備え、表示装置の導光体は、略Ｌ字形状に形成するとともにそのコーナー部をトッププレートの表示部と対向する傾斜面とし、かつ入光部と反対の発光部側を連結させて調理器本体の側面の表示部に臨ませて配置したものである。
【００１０】
これによって、発光素子からの光は、一体化された１つの導光体を通してトッププレートの表示部と調理器本体の側面の表示部に同時に導かれて加熱状態を表示することができるものである。
【発明の効果】
【００１１】
本発明の加熱調理器は、簡単な手段により、トッププレートと調理器本体の側面からも加熱状態を同時に認識することができるものである。
【発明を実施するための最良の形態】
【００１２】
第１の発明は、加熱源を内蔵した調理器本体と、この調理器本体上に装備され調理容器を載置するトッププレートと、複数の発光素子とこれと対向設置した導光体とを有して加熱状態を表示する表示装置とを備え、表示装置の導光体は、略Ｌ字形状に形成するとともにそのコーナー部をトッププレートの表示部と対向する傾斜面とし、かつ入光部と反対の発光部側を連結させて調理器本体の側面の表示部に臨ませて配置したことにより、発光素子からの光は、一体化された１つの導光体を通してトッププレートの表示部と調理器本体の側面の表示部に同時に導かれて加熱状態を表示することができるものである。
【００１３】
第２の発明は、特に、第１の発明において、導光体の入光部を球面または円柱面としたことにより、発光素子からの光が導光体に入るとき、その面のレンズ効果により屈折して直線的に向きを変え、距離の離れた先端の発光部をより明るく発光させることができる。
【００１４】
第３の発明は、特に、第１または第２の発明において、導光体の入光部から傾斜面の間に連続した垂直部を構成したことにより、導光体を外郭部品などに密着して固定することができ、導光体に外力が加えられた場合においても、シール性を確保でき、水やほこりなどの侵入を防ぐことができる。
【００１５】
第４の発明は、特に、第１〜第３のいずれか１つの発明において、複数の発光素子の発光色を複数に分割したことにより、先端の発光部の色を発光素子の発光色とそれが混ざった色を出すことができ、少ない発光色の発光素子で多くの表示色をつくることができ、火力強さを連続的に変化する色で表現することができる。
【００１６】
第５の発明は、特に、第１〜第４のいずれか１つの発明において、導光体の傾斜面を加工反射面としたことにより、加工反射面を、例えば、シボ加工にすると一様に光が乱反射し、むらがなく一面きれいに発光させることができる。また、複数の溝により構成した場合には、その幅や角度によりトッププレート方向に透過する光量と反射して調理器本体の側面に進む光量のバランスを容易に調整することができるため、それぞれの方向における表示部の明るさを合わせやすくできる。
【００１７】
第６の発明は、特に、第１〜第５のいずれか１つの発明において、導光体の発光部側端面を加工反射面としたことにより、正面より少し傾いた位置から見た場合においても暗くなく見やすい、多角性のある表示部にすることができる。
【００１８】
以下、本発明の実施の形態について、図面を参照しながら説明する。なお、この実施の形態によって本発明が限定されるものではない。
【００１９】
（実施の形態）
図１、図２は、本発明の実施の形態における加熱調理器の代表例として、卓上型の誘導加熱調理器を示している。これはあくまで代表例であって、本発明が誘導加熱調理器に限定されるものではない。
【００２０】
図１に示すように、加熱調理器は、ケース上２ａとケース下２ｂが上下に組み合わさって加熱源を内蔵した調理器本体２を構成していて、ケース上２ａの上には鍋などの調理容器を載置する強化ガラス製またはセラミックス製などのトッププレート１が装着されている。また、ケース上２ａの前方側面にはつまみ式の操作部３が設けられている。トッププレート１の上面と、操作部３の近傍である調理器本体２の側面とには、それぞれ加熱状態を表示する表示部１ａ、２ｃが設けられている。トッププレート１にある表示部１ａは、光を透過させるものであり、調理器本体２の側面にある表示部２ｃは、導光体（後記）を挿入できるように穴が開いているものであるが、特に、その構成は限定されるものではない。操作部３もつまみ式のものが設けられているが、デザインや操作性を配慮して、ボタン式やタッチ式のものでも支障はない。
【００２１】
図２は、調理器本体２の内部構成を示しており、ケース下２ｂのほぼ中央に加熱源である加熱コイル５が設けられ、加熱コイル５の下にはインバータ部の基板７が置かれ、前方には操作部３の基板９が、右後方には電源部の基板８が置かれている。電源部の基板８には、商用交流電源をＤＣ変換するコンデンサやマグネットプラグをつけるプラグ受けが取り付けられている。操作部３の基板９には、火力調節やメニュー選択を行う操作装置と、加熱状態を表示する表示装置４とが設けられている。
【００２２】
また、加熱コイル５の左前方にはファンモータ１０が設けられ、インバータ部の基板７に取り付けられている発熱部品を固定したヒートシンクやその他基板上の部品や加熱コイル５を冷却する。そのため、ケース下２ｂにはファン１０の下方に円形の吸気口があり、この吸気口から離れた側面および底面に排気口１２が設けられている。本実施の形態では、四角形状の製品であるため、排気口１２は後面と右後方側面に設けられている。
【００２３】
加熱コイル５は細い銅線を撚り合わせた束を円盤状になるように巻かれていて、フェライトを内包した絶縁物で構成したコイルベース６に載せられ、コイルホルダ１１にて挟まれて固定されている。加熱コイル５の中央には、温度を検知するセンサ１４が設けられている。
【００２４】
図３、図４、図５および図６は本実施の形態における加熱調理器の表示装置４の詳細を示している。
【００２５】
基板９上に複数個の発光素子（ＬＥＤ）１８が設けられ、光の透過性のない、もしくは透過性の低い樹脂製のカバー１７がそれぞれの発光素子１８の周囲を取り囲み、上方だけ開放されるようにセル状に並んでいる。カバー１７の開放された上方からは、光の透過性に優れたポリカーボネイトなどの樹脂製の導光体１６が発光素子１８と対向設置されている。
【００２６】
表示装置４の導光体１６は、略Ｌ字形状に形成するとともにそのコーナー部をトッププレート１の表示部１ａと対向する反射面となる傾斜面１９とし、かつ入光部１６ａと反対の発光部側１６ｂを連結させて調理器本体２の側面の表示部２ｃに臨ませて配置している。
【００２７】
導光体１６の入光部１６ａは、光が反射せずに入りやすいように透明度が高くなるようにしてあり、また、入光した光がまっすぐ導光体１６の中を進むように球面で構成している。これは円柱面で構成してもほぼ同じような効果を得ることができる。また、導光体１６の途中（コーナー部）に光の進行方向に対して傾斜面１９を設け、光を横方向に屈折させると、光の一部は傾斜面１９をそのまま通過して、トッププレート１越しにその表示を見ることができ、一方の反射した光は横方向に進み、操作部３近傍の表示部２ｃから発光する。このとき、図５、図６に示すように、傾斜面１９や発光部側１６ｂの端部の発光面を加工反射面１６ｃとしている。例えば、加工反射面１６ｃとしてシボ加工を施すと一様に光が乱反射し、むらがなく一面きれいに発光させることができる。また、加工反射面１６ｃとして、図５のように、傾斜面１９に複数の溝（スリット）を入れることも考えられ、この場合、溝の幅や角度により上方向に透過する光量と反射して側面に進む光量のバランスを調整することができるため、表示部１ａ、２ｃの表示デザインや構成により表示部１ａ、２ｃの明るさを調整しながら設計することができる。また、図６のように、発光部側１６ｂの発光面端部に溝を設けることにより、正面より少し傾いた位置から見た場合においても暗くなく見やすい、多角性のある表示部にすることができる。
【００２８】
複数の並んだ発光素子１８に対してそれぞれ導光体１６が対向しているが、隣の光が漏れて発光面が光ってしまうことを防ぐために、入光部１６ａから傾斜面１９までは光の透過性のない材料でつくられたカバー１７で各導光体１６をセル状に区分して覆っている。また、カバー１７上面に、文字や図形を印刷した光の透過性のないシートを貼り付け、その文字や図形を発光させることもできる。同様にトッププレート１の印刷構成で同じように文字や図形を発光させることもできる。また、導光体１６の入光部１６ａから傾斜面１９の間に連続した垂直部を構成したことにより、導光体１６を外郭部品など（カバー１７など）に密着して固定することができ、導光体１６に外力が加えられた場合においても、シール性を確保でき、水やほこりなどの侵入を防ぐことができる。
【００２９】
なお、傾斜面１９より発光部側１６ｂは、カバー１７で仕切っていないが、導光体１６は透明で、光を内部に反射し、外に光をもらしにくくなっているので、特に必要がないと考えられる。このとき、導光体１６の発光部側１６ｂは、各導光体１６が一体化され連結させることにより、隣り合う導光体との区切りをなくして、連続的に発光幅が変わる表示部をつくることができる。このとき、連結する長さにより、点灯する個所との区切りを明確にするか、一体化にするかが決められるので、デザインにより長さを調整する。また、一体化にすることにより、ケース上、下２ａ、２ｂの穴部との隙間を減らすことができ、水やほこりが調理器本体２内部に侵入して基板９に付着して、悪影響を及ぼすことを防ぐことができるとともに、１つの導光体１６としてその取り扱いが容易となるものである。さらに、連結した発光部側１６ｂの外周にリブ（鍔）を設けることにより、ケース上、下２ａ、２ｂとの隙間を減らしながらケース上、下２ａ、２ｂに対して固定することができ、導光体１６を外から押された場合においても、隙間が大きくなることがなく、より一層水やほこりの浸入に対して有効である。
【００３０】
このとき、各発光素子１８の発光色を変えることにより、先端の発光面の色を発光素子１８の発光色とそれが混ざった色を出すことができる。例えば、図５において、左の２つの発光素子１８を緑、次の２つを黄、一番右を赤の発光素子１８とすることで、２つ目と３つ目の間を黄緑に表示し、４つ目と５つ目の間をオレンジに表示することができ、火力の強さを色によっても表現することができる。このとき、連結する長さにより、光の混ざり具合が決まってくるので、実際にどのように発色するか確認しながら意図しているデザインに合うように、連結長さを調整する。
【００３１】
また、トッププレート１上には鍋等の調理容器が載せられ、２００℃以上の高温になってしまう場合もあるが、発光素子１８の一般的な耐熱温度は約８５℃であり、十分な冷却や断熱が必要となる。そこで、発光素子１８の位置、つまり基板９の位置をできる限り下げることが必要であり、また導光体１６をポリカーボネイトなどの耐熱の高いもので構成し、発光素子１８に対する断熱材となるように蓋をする構成により、発光素子１８を低い温度に保つことができ、故障が少なくなる。
【００３２】
以上のように構成された加熱調理器において、以下その動作、作用を説明する。
【００３３】
調理器を加熱開始すると、制御回路により加熱コイル５に高周波電流が流れ、トッププレート１上の調理容器が誘導加熱される。このとき、操作部３の近傍やトッププレート１上などの表示部１ａ、２ｃに加熱状態を表示している。例えば、火力の強弱がどの設定になっているかを分かりやすく表示している。発光素子１８は基板９上に複数並べて設けられており、その点灯数で火力状態を表示するようになっている。
【００３４】
このとき、トッププレート１上の表示を行うために、トッププレート１下方に発光素子１８を配列した基板９を置き、上向きに発光させ、トッププレート１まで光を透過させトッププレート１上に表示するが、その導光体１６の途中に傾斜面１９を設けることにより光を横方向に屈折させ、操作部３付近まで導くことができる。このような構成により、一体化された１つの導光体により、トッププレート１上以外にも、操作部３付近に表示部を設けることができ、つまみ式の操作部の場合、操作量と比例して火力が連続的に変化していくことを表示することができ、加熱状態をより認識しやすくなる。また、トッププレート１上に表示部１ａが隠れてしまうような大きな調理容器が載せられた場合においても、操作部３側の表示部２ｃで火力を知ることができ、不用意に火力を上げたり、下げたりしてしまう恐れを少なくすることができる。
【００３５】
また、表示の形態を導光体１６の傾斜面１９を使用したトッププレート１上面と、導光体１６の先端の発光部側１６ｂを利用した調理器本体２の側面とで表示のデザインを変えることができ、例えば、上面を数字、側面を連続的なレベルゲージと表示することも可能であり、デザインの幅がより広くなる。このときも、発光素子１８の数や導光体１６の数を増やすことがないので、構造の簡易化、材料費の合理化にもつながる。
【００３６】
また、複数の色の発光素子１８を使用することにより、側面側の表示部２ｃの色を発光素子１８の発光色を混ぜて表示することができ、少ない発光素子１８の色で多くの色表示をすることができるとともに、色によっても火力を表現することができる。
【産業上の利用可能性】
【００３７】
以上のように、本発明にかかる加熱調理器は、簡単な手段により、トッププレートと調理器本体の側面からも加熱状態を同時に認識することができるものであるので、誘導加熱調理器に限らず、シーズヒータ、ラジエントヒータ、ハロゲンヒータなど、いずれの加熱方式の加熱調理器全般に利用することができる。
【図面の簡単な説明】
【００３８】
【図１】本発明の実施の形態における加熱調理器の外観斜視図
【図２】同加熱調理器の内部構成を示す平面図
【図３】同加熱調理器の表示装置の要部断面図
【図４】同加熱調理器の表示装置の斜視図
【図５】同加熱調理器の表示装置の分解斜視図
【図６】同加熱調理器の表示装置における導光体の斜視図
【符号の説明】
【００３９】
１  トッププレート
２  調理器本体
１ａ、２ｃ  表示部
４  表示装置
５  加熱コイル
１６  導光体
１６ａ  入光部
１６ｂ  発光部側
１７  カバー
１８  発光素子
１９  傾斜面
【図１】
2007194100.tif 000003
【図２】
2007194100.tif 000004
【図３】
2007194100.tif 000005
【図４】
2007194100.tif 000006
【図５】
2007194100.tif 000007
【図６】
2007194100.tif 000008